(57)【特許請求の範囲】
【請求項１】
上部ケースと、この上部ケースの下部に配置される下部ケースと、前記上部ケースおよび前記下部ケースの内部に配置される中ケースとを備えた携帯機器において、
前記上部ケースの下面における周縁部に設けられた第１嵌合部と、
前記中ケースの上面における周縁部に設けられて前記第１嵌合部に嵌合する第２嵌合部と、
前記中ケースの下面における周縁部に設けられた第３嵌合部と、
前記下部ケースの上面における周縁部に設けられて前記第３嵌合部に嵌合する第４嵌合部と、
を備え、
前記第２嵌合部と前記第３嵌合部とは一体的に形成された嵌合構造を有し、この嵌合構造が前記第１嵌合部に嵌合すると共に前記第４嵌合部に嵌合することで前記上部ケースと前記中ケースと前記下部ケースとを一体的に結合することを特徴とする携帯機器。
【請求項２】
請求項１に記載の携帯機器において、前記第１嵌合部と前記第２嵌合部とは、互いに嵌合した際に、前記上部ケースと前記中ケースとにおける内外方向の位置を規制する第１規制部と、前記上部ケースと前記中ケースとの周囲方向の位置を規制する第２規制部とを備えており、
前記第３嵌合部と前記第４嵌合部とは、互いに嵌合した際に、前記中ケースと前記下部ケースとにおける内外方向の位置を規制する第３規制部と、前記中ケースと前記下部ケースとの周囲方向の位置を規制する第４規制部とを備えていることを特徴とする携帯機器。
【請求項３】
請求項１または請求項２に記載の携帯機器において、前記中ケースの前記第２嵌合部には、第１補助嵌合部が設けられており、前記下部ケースの前記第４嵌合部には、前記第２嵌合部の前記第１補助嵌合部に嵌合する第２補助嵌合部が設けられていることを特徴とする携帯機器。
【請求項４】
請求項１〜請求項３のいずれかに記載の携帯機器において、前記上部ケースにおける前記第１嵌合部の外周には、第５嵌合部が前記上部ケースの外周に沿って連続して設けられており、前記下部ケースにおける前記第３嵌合部の外周には、前記第５嵌合部が嵌合する第６嵌合部が、前記下部ケースの外周に沿って連続して設けられていることを特徴とする携帯機器。
【請求項５】
請求項４に記載の携帯機器において、前記第５嵌合部と前記第６嵌合部とは、その噛み合いが深く形成されており、前記第５嵌合部と前記第６嵌合部とが噛み合う内部には、防水パッキンが配置されていることを特徴とする携帯機器。
【請求項６】
請求項１〜請求項５のいずれかに記載の携帯機器において、前記下部ケースには、電池収納部が設けられており、前記中ケースは、前記電池収納部に対応する箇所に亘って、前記上部ケースと前記下部ケースとの内部のほぼ全域に配置されていることを特徴とする携帯機器。
【発明の詳細な説明】
【技術分野】
【０００１】
この発明は、携帯情報端末機（ＰＤＡ：パーソナル・デジタル・アシスタント）や、携帯電話機などの携帯機器に関する。
【背景技術】
【０００２】
例えば、携帯電話機などの携帯機器においては、特許文献１に記載されているように、上部ケースと下部ケースとを備え、これら上部ケースと下部ケースとの内部にモジュールを組み込んだ構成のものが知られている。
【先行技術文献】
【特許文献】
【０００３】
【特許文献１】特開２００４−３４３７５１号公報
【０００４】
この種の携帯機器は、上部ケースの外周部に第１嵌合リブを設け、下部ケースの外周部に上部ケースの第１嵌合リブが嵌合する第２嵌合リブを設け、上部ケースと下部ケースとを重ね合わせた際に、第１、第２の各嵌合リブが互いに嵌合するように構成されている。この場合、第１嵌合リブと第２嵌合リブとは、ほぼ十字状に嵌合し、上部ケースと下部ケースとの内外方向とこれに直交する周囲方向との位置を規制するように形成されている。
【発明の概要】
【発明が解決しようとする課題】
【０００５】
しかしながら、このような従来の携帯機器では、上部ケースと下部ケースとを重ね合わせて、第１、第２の各嵌合リブを互いに嵌合させた状態で、上部ケースと下部ケースとの複数個所をビス止めする構成であるから、落下などの衝撃を受けた際に、ビス止め箇所の間に位置してビス止めされていない箇所における上部ケースと下部ケースとがその厚み方向に変形し易く、この変形によって上部ケースと下部ケースとの間に隙間が生じるという問題がある。
【０００６】
また、このような従来の携帯機器では、表示パネルの大画面化および高密度実装に伴って上部ケースおよび下部ケースの各肉厚を薄く形成することが要望されているが、単に上部ケースと下部ケースとの肉厚を薄く形成しただけでは、上述した問題が生じ易くなるばかりか、外部からの衝撃によって機器全体が反り変形を起し易くなるという問題が生じる。
【０００７】
この発明が解決しようとする課題は、上部ケースと中ケースと下部ケースとを一体的に結合することで、外部からの衝撃に対するケースの変形や位置ずれを防ぐことができる耐衝撃性の高い携帯機器を提供することである。
【課題を解決するための手段】
【０００８】
請求項１に記載の発明は、上部ケースと、この上部ケースの下部に配置される下部ケースと、前記上部ケースおよび前記下部ケースの内部に配置される中ケースとを備えた携帯機器において、
前記上部ケースの下面における周縁部に設けられた第１嵌合部と、前記中ケースの上面における周縁部に設けられて前記第１嵌合部に嵌合する第２嵌合部と、前記中ケースの下面における周縁部に設けられた第３嵌合部と、前記下部ケースの上面における周縁部に設けられて前記第３嵌合部に嵌合する第４嵌合部と、を備え、
前記第２嵌合部と前記第３嵌合部とは一体的に形成された嵌合構造を有し、この嵌合構造が前記第１嵌合部に嵌合すると共に前記第４嵌合部に嵌合することで前記上部ケースと前記中ケースと前記下部ケースとを一体的に結合することを特徴とする携帯機器である。
【０００９】
請求項２に記載の発明は、請求項１に記載の携帯機器において、前記第１嵌合部と前記第２嵌合部とは、互いに嵌合した際に、前記上部ケースと前記中ケースとにおける内外方向の位置を規制する第１規制部と、前記上部ケースと前記中ケースとの周囲方向の位置を規制する第２規制部とを備えており、
前記第３嵌合部と前記第４嵌合部とは、互いに嵌合した際に、前記中ケースと前記下部ケースとにおける内外方向の位置を規制する第３規制部と、前記中ケースと前記下部ケースとの周囲方向の位置を規制する第４規制部とを備えていることを特徴とする携帯機器である。
【００１０】
請求項３に記載の発明は、請求項１または請求項２に記載の携帯機器において、前記中ケースの前記第２嵌合部には、第１補助嵌合部が設けられており、前記下部ケースの前記第４嵌合部には、前記第２嵌合部の前記第１補助嵌合部に嵌合する第２補助嵌合部が設けられていることを特徴とする携帯機器である。
【００１１】
請求項４に記載の発明は、請求項１〜請求項３のいずれかに記載の携帯機器において、前記上部ケースにおける前記第１嵌合部の外周には、第５嵌合部が前記上部ケースの外周に沿って連続して設けられており、前記下部ケースにおける前記第４嵌合部の外周には、前記第５嵌合部が嵌合する第６嵌合部が、前記下部ケースの外周に沿って連続して設けられていることを特徴とする携帯機器である。
【００１２】
請求項５に記載の発明は、請求項４に記載の携帯機器において、前記第５嵌合部と前記第６嵌合部とは、その噛み合いが深く形成されており、前記第５嵌合部と前記第６嵌合部とが噛み合う内部には、防水パッキンが配置されていることを特徴とする携帯機器である。
【００１３】
請求項６に記載の発明は、請求項１〜請求項５のいずれかに記載の携帯機器において、前記下部ケースには、電池収納部が設けられており、前記中ケースは、前記電池収納部に対応する箇所に亘って、前記上部ケースと前記下部ケースとの内部のほぼ全域に配置されていることを特徴とする携帯機器である。
【発明の効果】
【００１４】
この発明によれば、上部ケースと中ケースと下部ケースとを一体的に結合することで、外部からの衝撃に対するケースの変形や位置ずれを防ぐことができる耐衝撃性の高い携帯機器を提供することができる。
【図面の簡単な説明】
【００１５】
【図１】この発明を携帯情報端末機に適用した一実施形態を示した正面図である。
【図２】図１に示された携帯情報端末機を示した分解斜視図である。
【図３】図２に示された携帯情報端末機を上下反転させて示した分解斜視図である。
【図４】図１に示された携帯情報端末機のＡ−Ａ矢視における拡大断面図である。
【図５】図４に示された携帯情報端末機を分解して示した拡大断面図である。
【図６】図２に示された携帯情報端末機において、上部ケース、下部ケース、中ケースを相互に取り付ける際の要部を示した分解斜視図である。
【図７】図３に示された携帯情報端末機において、上部ケース、下部ケース、中ケースを相互に取り付ける際の要部を示した分解斜視図である。
【図８】図２に示された第３、第４の各嵌合部を機器ケースの内側から見た状態で、要部を分解して示した拡大斜視図である。
【発明を実施するための形態】
【００１６】
以下、図１〜図８を参照して、この発明を携帯情報端末機に適用した一実施形態について説明する。
この携帯情報端末機は、図１〜図３に示すように、上部ケース１と、この上部ケース１の下部に装着される下部ケース２と、上部ケース１および下部ケース２の内部に組み込まれる中ケース３とを備えている。
【００１７】
この場合、中ケース３には、図３に示すように、回路基板４が設けられている。この回路基板４の上面には、図２に示すように、表示部５およびキーボード部６が設けられている。また、この回路基板４の下面には、図３に示すように、情報処理に必要な各種の電子部品７が表示部５の下側に対応して設けられている。
【００１８】
表示部５は、液晶表示パネルやＥＬ（エレクトロルミネッセンス）表示パネルなどの平面型の表示パネルからなり、情報処理に伴う各種の情報を電気光学的に表示するように構成されている。キーボード部６は、文字キー、カーソルキー、ファンクションキーなどの情報処理に必要な各種のキーを備えている。
【００１９】
また、上部ケース１には、図１、図２および図６に示すように、表示開口部９ａが表示部５に対応して設けられていると共に、複数のキー挿入孔９ｂがキーボード部６の各キーに対応して設けられている。さらに、下部ケース２には、図４〜図７に示すように、後述する電池収納部８が中ケース３の回路基板４におけるキーボード部６の下側に対応して設けられていると共に、この電池収納部８を塞ぐ電池蓋１０が着脱可能に取り付けられている。
【００２０】
ところで、上部ケース１の下面における周縁部には、図３〜図７に示すように、第１嵌合部１１が設けられている。中ケース３の上面における周縁部には、上部ケース１の第１嵌合部１１に嵌合する第２嵌合部１２が設けられている。また、この中ケース３の下面における周縁部には、第３嵌合部１３が設けられている。下部ケース２の上部における周縁部には、中ケース３の第３嵌合部１３が嵌合する第４嵌合部１４が設けられている。
【００２１】
この場合、第１嵌合部１１は、図３〜図７に示すように、上部ケース１の下面における周縁部に設けられた溝部およびリブなどであり、上部ケース１の周囲に沿って設けられている。第２嵌合部１２は、図４および図５に示すように、中ケース３の上面における周縁部から上方に突出して設けられた各種のリブであり、図２および図３に示すように、中ケース３の周囲に沿って設けられている。この第２嵌合部１２は、上部ケース１内に中ケース３が配置された際に、上部ケース１の第１嵌合部１１に嵌合するように構成されている。
【００２２】
すなわち、第１嵌合部１１と第２嵌合部１２とは、図３〜図７に示すように、互いに嵌合した際に、上部ケース１と中ケース３とにおける内外方向、つまり上部ケース１と中ケース３との両方の側面における肉厚方向（例えば、幅方向であり、図１では矢印Ｘ方向）の位置を規制する第１規制部１５（図５参照）と、上部ケース１と中ケース３との周囲方向、つまり上部ケース１と中ケース３との周囲に沿う方向（例えば、前後方向であり、図１では矢印Ｙ方向）の位置を規制する第２規制部１６（図６参照）とを備えている。
【００２３】
第１規制部１５は、図２、図５および図６に示すように、上部ケース１の周囲に沿って設けられた溝部１１ａと、中ケース３の周囲に沿って設けられた枠状のリブ１２ａとからなっている。これにより、第１規制部１５は、図５に示すように、中ケース３の枠状のリブ１２ａが上部ケース１の溝部１１ａに嵌合することにより、上部ケース１と中ケース３とにおける内外方向（例えば、図１では矢印Ｘ方向）の位置を規制して、上部ケース１と中ケース３との内外方向への変形を防ぐように構成されている。
【００２４】
第２規制部１６は、図６に示すように、上部ケース１の下面の周囲に設けられた下りリブ１６ａにおける所定箇所に設けられた幅広の溝部１１ｂと、中ケース３の周囲における所定箇所に設けられた幅広の補助リブ１２ｂとからなっている。この場合、中ケース３の幅広の補助リブ１２ｂは、図６および図７に示すように、上部ケース１の内側面に向けて設けられた天板部１２ｃと、この天板部１２ｃの両側に垂下された一対の側板部１２ｄとからなっている。この第２規制部１６は、幅広の溝部１１ｂと幅広の補助リブ１２ｂとがそれぞれ片側５箇所の合計１０箇所に設けられている。
【００２５】
これにより、第２規制部１６は、図６に示すように、中ケース３の幅広の補助リブ１２ｂが上部ケース１の下りリブ１６ａに設けられた幅広の溝部１１ｂに嵌合することにより、上部ケース１と中ケース３とにおける周囲方向（例えば、前後方向であり、図１では矢印Ｙ方向）の位置を規制して、上部ケース１と中ケース３との周囲方向への位置ずれを防ぐように構成されている。
【００２６】
また、第３嵌合部１３は、図４〜図７に示すように、中ケース３の下面における周縁部から垂下されたリブであり、図２および図３に示すように、中ケース３の周囲に沿って設けられている。第４嵌合部１４は、図４および図５に示すように、下部ケース２の第２嵌合部１２の内周に沿って設けられた溝部であり、中ケース３の第３嵌合部１３が嵌合するように構成されている。
【００２７】
この場合にも、第３嵌合部１３と第４嵌合部１４とは、図６〜図８に示すように、互いに嵌合した際に、中ケース３と下部ケース２とにおける内外方向、つまり下部ケース２と中ケース３との両方の側面における肉厚方向（例えば、幅方向であり、図１では矢印Ｘ方向）の位置を規制する第３規制部１７と、中ケース３と下部ケース２との周囲方向、つまり上部ケース１と中ケース３との周囲に沿う方向（例えば、図１では矢印Ｙ方向）の位置を規制する第４規制部１８とを備えている。
【００２８】
第３規制部１７は、図３、図６〜図８に示すように、中ケース３の周囲に沿ってほぼ連続して設けられた枠状のリブ１３ａと、下部ケース２の周囲に沿ってほぼ連続して設けられた環状の溝部１４ａとからなっている。これにより、第３規制部１７は、中ケース３の枠状のリブ１３ａが下部ケース２の環状の溝部１４ａに嵌合することにより、中ケース３と下部ケース２とにおける内外方向（例えば、幅方向であり、図１では矢印Ｘ方向）の位置を規制して、中ケース３と下部ケース２との内外方向への変形を防ぐように構成されている。
【００２９】
第４規制部１８は、図２、図６〜図８に示すように、中ケース３の枠状のリブ１３ａにおける所定箇所に外部に向けて突出して設けられた部分的なリブ１３ｂと、下部ケース２の環状の溝部１４ａ内における所定箇所に設けられた一対の挟持リブ１４ｂとからなっている。この場合、第４規制部１８は、第２規制部１６と同様、部分的なリブ１３ｂと一対の挟持リブ１４ｂとがそれぞれ片側５箇所の合計１０箇所に設けられている。
【００３０】
これにより、第４規制部１６は、図２、図６〜図８に示すように、中ケース３の部分的なリブ１３ｂが下部ケース２の一対の挟持リブ１４ｂ間に嵌合することにより、下部ケース２と中ケース３とにおける周囲方向（例えば、前後方向であり、図１では矢印Ｙ方向）の位置を規制して、下部ケース２と中ケース３との周囲方向への位置ずれを防ぐように構成されている。
【００３１】
この場合、下部ケース２の第４嵌合部１４には、図６および図７に示すように、中ケース３の第２嵌合部１２における第２規制部１６の補助リブ１２ｂに下側から嵌合する補助突起１４ｃが設けられている。すなわち、この補助突起１４ｃは、第４嵌合部１４の第３規制部１７における溝部１４ａの上端部にその上方に突出して設けられ、中ケース３の第２嵌合部１２における第２規制部１６の補助リブ１２ｂの一対の側板部１２ｄ間に挿入するように構成されている。
【００３２】
これにより、補助突起１４ｃは、図６および図７に示すように、中ケース３の第２嵌合部１２における第２規制部１６の補助リブ１２ｂが上部ケース１の第１嵌合部１１における幅広の溝部１１ｂに嵌合した状態で、補強リブ１２ｂの一対の側板部１２ｄの間に挿入することにより、上部ケース１、中ケース３、および下部ケース２を一体的に結合するように構成されている。
【００３３】
また、上部ケース１における第１嵌合部１１の外周には、図２〜図７に示すように、第５嵌合部２０が上部ケース１の外周に沿って連続して設けられている。下部ケース２における第４嵌合部１４の外周には、上部ケース１の第５嵌合部２０に嵌合する第６嵌合部２１が下部ケース２の外周に沿って連続して設けられている。第５嵌合部２０は、図５〜図７に示すように、上部ケース１の外周に沿って連続して設けられた枠状のリブ２０ａであり、第６嵌合部２１は、下部ケース２の外周に沿って連続して設けられた環状の溝部２１ａである。
【００３４】
この場合、第５嵌合部２０と第６嵌合部２１とは、図４および図５に示すように、その両者の噛み合い深さが、中ケース３の第３嵌合部１３と下部ケース２の第４嵌合部１４との両方の深さと同程度に、深く形成されている。この第５嵌合部２０と第６嵌合部２１との内部には、防水パッキン２２が上部ケース１および下部ケース２の全周に沿って連続して配置されている。
【００３５】
すなわち、この防水パッキン２２は、ゴムなどの弾性を有する材料からなるリング状のものであり、図４および図５に示すように、下部ケース２の第６嵌合部２１の内部に配置された状態で、上部ケース１の第５嵌合部２０が下部ケース２の第６嵌合部２１に嵌合した際に、第５嵌合部２０の枠状のリブ２０ａによって第６嵌合部２１の環状の溝部２１ａ内に押し付けられるように構成されている。
【００３６】
また、第５嵌合部２０と第６嵌合部２１とは、図４に示すように、中ケース３の周縁部から外側に向けて突出した鍔状のリブ３ａを挟むように構成されている。すなわち、下部ケース２の第６嵌合部２１は、図４および図５に示すように、その内側に位置する上端部が外側に位置する上端部よりも少し低く形成されている。
【００３７】
すなわち、第５嵌合部２０と第６嵌合部２１とは、図４に示すように、上部ケース１の第５嵌合部２０が下部ケース２の第６嵌合部２１に嵌合した際に、第６嵌合部２１の外側に位置する上端部が上部ケース１の下端面に当接し、且つ第６嵌合部２１の内側に位置する上端部が上部ケース１の下端面から少し離れるように構成されている。
【００３８】
これにより、第５嵌合部２０と第６嵌合部２１とは、図４に示すように、下部ケース２の第６嵌合部２１における内側に位置する上端部が上部ケース１の下端面から少し離れて位置することにより、この離れた箇所に中ケース３の鍔状のリブ３ａが配置され、この状態で中ケース３のリブ３ａを第６嵌合部２１の上端部と上部ケース１の下端面との間に挟み付けるように構成されている。
【００３９】
このような上部ケース１、下部ケース２、および中ケース３は、図３に示すように、上辺側、下辺側、およびその上下辺間の中間に位置する前後２箇所の合計８箇所がビス（図示せず）によって結合されるように構成されている。すなわち、下部ケース２には、複数のビス挿入孔２３が上辺側、下辺側、およびその上下辺間の中間に位置する前後２箇所で、合計８箇所に設けられている。中ケース３には、表示部５の両側に位置する箇所を除いて、複数のボス挿入孔２４が下部ケース２のビス挿入孔２３に対応して設けられている。
【００４０】
上部ケース１内には、図３に示すように、表示部５の両側に位置する箇所を除いて、ビス（図示せず）が螺入するねじ孔を有するボス２５が、中ケース３のボス挿入孔２４に対応して設けられている。この上部ケース１のボス２５は、図２および図３に示すように、上部ケース１に中ケース３が配置された際に、中ケース３の各ボス挿入孔２４に挿入されて、中ケース３の下部に配置された下部ケース２の各ビス挿入孔２３に対応するように構成されている。
【００４１】
この場合、上部ケース１には、図２および図３に示すように、ビス止め用の一対の補助金具２６が表示部５の両側に位置する箇所において、下部ケース２のビス挿入孔２３に対応して設けられている。この一対の補助金具２６は、図３および図５に示すように、上部ケース１内の側面に設けられ、その下端部が中ケース３の下側（図３では上側）に延び、この延びた下端部が中ケース３の下面に沿って折り曲げられ、この折り曲げられた箇所にねじ孔２６ａが設けられた構成になっている。
【００４２】
これにより、一対の補助金具２６は、上部ケース１内に中ケース３が配置された際に、その中ケース３の下側に位置し、この状態で中ケース３の下部に下部ケース２が配置された際に、この下部ケース２のビス挿入孔２３に補助金具２６のねじ孔２６ａが対応し、このねじ孔２６ａに下部ケース２のビス挿入孔２３から挿入されたビス（図示せず）が螺入して締め付けられることにより、表示部５の両側に位置する上部ケース１、中ケース３、および下部ケース２を結合するように構成されている。
【００４３】
また、中ケース３は、図２および図３に示すように、電池収納部８に対応する箇所に亘って、上部ケース１と下部ケース２との内部のほぼ全域に配置されている。すなわち、電池収納部８は、図４および図５に示すように、下部ケース２が中ケース３に向けて接近するように中空状に盛り上がり、この盛上った箇所の内部が下部ケース２の下側に開放された状態で、下部ケース２に形成されている。このため、下部ケース２には、電池収納部８を塞ぐための電池蓋１０が着脱可能に取り付けられている。
【００４４】
次に、このような携帯情報端末機を組み立てる場合について説明する。
まず、図２および図３に示すように、中ケース３に回路基板４を取り付ける。このときには、予め、図２に示すように、回路基板４の上面に表示部５およびキーボード部６を取り付けると共に、図３に示すように、回路基板４の下面に各種の電子部品７を取り付ける。
【００４５】
次いで、中ケース３を上部ケース１内に配置する。このときには、上部ケース１に設けられた一対の補助金具２６の間に中ケース３を挿入させて、一対の補助金具２６の各ねじ孔２６ａが設けられた下端部を中ケース３の下側に位置させて配置する。また、このときには、表示部５を上部ケース１の表示開口部９ａに対応させると共に、キーボード部６の各キーを上部ケース１の各キー挿入孔９ｂに対応させる。
【００４６】
この状態で、上部ケース１の各ボス２５と中ケース３の各ボス挿入孔２４とを対応させて、上部ケース１の第１嵌合部１１と中ケース３の第２嵌合部１２とを嵌合させる。すると、図５に示すように、上部ケース１の周囲に沿って設けられた第１嵌合部１１における第１規制部１５の環状の溝部１１ａと、中ケース３の周囲に沿って設けられた第２嵌合部１２における第１規制部１５の枠状のリブ１２ａとが嵌合し、上部ケース１と中ケース３とにおける内外方向（例えば、幅方向であり、図１では矢印Ｘ方向）の位置が規制される。
【００４７】
同様に、図６および図７に示すように、上部ケース１の周囲における所定箇所に設けられた第１嵌合部１１における第２規制部１６の幅広の溝部１１ｂと、中ケース３の周囲における所定箇所に設けられた第２嵌合部１２における第２規制部１６の幅広の補助リブ１２ｂとが嵌合し、上部ケース１と中ケース３とにおける周囲方向（例えば、前後方向であり、図１では矢印Ｙ方向）の位置が規制される。
【００４８】
また、このときには、上部ケース１の各ボス２５が中ケース３の各ボス挿入孔２４に挿入し、表示部５の周縁部が上部ケース１の表示開口部９ａの内周部に接触して表示開口部９ａから上部ケース１の外部に露出し、キーボード部６の各キーが上部ケース１の各キー挿入孔９ｂ内に挿入して上部ケース１の外部に露出する。
【００４９】
次いで、下部ケース２を中ケース３の下側から上部ケース１の下部に配置する。このときには、予め、下部ケース２の第６嵌合部２１内に防水パッキン２２を装着する。この状態で、図５および図６に示すように、中ケース３の第３嵌合部１３と下部ケース２の第４嵌合部１４とを対応させると共に、上部ケース１の第５嵌合部２０と下部ケース２の第６嵌合部２１とを対応させ、且つ中ケース３の各ボス挿入孔２４および一対の補助金具２６と下部ケース２の各ビス挿入孔２３とを対応させる。
【００５０】
この状態で、中ケース３の第３嵌合部１３と下部ケース２の第４嵌合部１４とを嵌合させると共に、上部ケース１の第５嵌合部２０と下部ケース２の第６嵌合部２１とを嵌合させる。すると、図４および図５に示すように、中ケース３の周囲に沿ってほぼ連続して設けられた第３嵌合部１３における第３規制部１７の枠状のリブ１３ａと、下部ケース２の周囲に沿ってほぼ連続して設けられた第４嵌合部１４における第３規制部１７の環状の溝部１４ａとが嵌合して、中ケース３と下部ケース２とにおける内外方向（例えば、幅方向であり、図１では矢印Ｘ方向）の位置が規制される。
【００５１】
同様に、図８に示すように、中ケース３の枠状のリブ１３ａにおける所定箇所に外部に向けて突出して設けられた第３嵌合部１３における第４規制部１８の部分的なリブ１３ｂと、下部ケース２の環状の溝部１４ａ内における所定箇所に設けられた第４嵌合部１４における第４規制部１８の一対の挟持リブ１４ｂとが嵌合して、下部ケース２と中ケース３とにおける周囲方向（例えば、前後方向であり、図１では矢印Ｙ方向）の位置が規制される。
【００５２】
このときには、図６および図７に示すように、上部ケース１の第１嵌合部１１における幅広の溝部１１ｂに中ケース３の第２嵌合部１２における第２規制部１６の補助リブ１２ｂが嵌合した状態で、下部ケース２の第４嵌合部１４における第３規制部１７の溝部１４ａの上端部に設けられた補助突起１４ｃが、中ケース３の第２規制部１６の補助リブ１２ｂにおける一対の側板部１２ｄの間に挿入する。これにより、上部ケース１、中ケース３、および下部ケース２が一体的に結合される。
【００５３】
また、このときには、上部ケース１の外周に沿って設けられた第５嵌合部２０の枠状のリブ２０ａと、下部ケース２の外周に沿って設けられた第６嵌合部２１の環状の溝部２１ａとがその噛み合いが深い状態で嵌合する。これにより、上部ケース１の第５嵌合部２０である枠状のリブ２０ａが防水パッキン２２を下部ケース２の第６嵌合部２１である環状の溝部２１ａ内に押し付けると共に、中ケース３の鍔状のリブ３ａを第５嵌合部２０の内側に位置する上部ケース１の下端面と第６嵌合部２１の内側に位置する上端部との間に挟み付ける。
【００５４】
この後、下部ケース２の各ビス挿入孔２３にビス（図示せず）を下側から挿入させて上部ケース１の各ボス２５のねじ孔および一対の補助金具２６の各ねじ孔２６ａに螺入させて締め付ける。これにより、上部ケース１の第１嵌合部１１と中ケース３の第２嵌合部１２とが強固に嵌合すると共に、中ケース３の第３嵌合部１３と下部ケース２の第４嵌合部１４とが強固に嵌合する。
【００５５】
また、このときには、上部ケース１の第５嵌合部２０と下部ケース２の第６嵌合部２１とが強固に嵌合して、防水パッキン２２を上部ケース１の第５嵌合部２０が下部ケース２の第６嵌合部２１内に押し付けて防水性が確保される。また、中ケース３の鍔状のリブ３ａが第５嵌合部２０の内側に位置する上部ケース１の下端面と第６嵌合部２１の内側に位置する上端部との間に強固に挟まれる。これにより、上部ケース１、下部ケース２、および中ケース３の全体の剛性が確保される。
【００５６】
このように、この携帯情報端末機によれば、上部ケース１の下面における周縁部に設けられた第１嵌合部１１と、上部ケース１内に配置される中ケース３の上面における周縁部に設けられて第１嵌合部１１に嵌合する第２嵌合部１２と、この中ケース３の下面における周縁部に設けられた第３嵌合部１３と、上部ケース１の下部に配置される下部ケース２の上面における周縁部に設けられて第３嵌合部１３に嵌合する第４嵌合部１４と、を備えた構成であるから、外部からの衝撃に対する各ケース１〜３の変形や位置ずれを防ぐことができ、これにより耐衝撃性の高いものを提供することができる。
【００５７】
すなわち、この携帯情報端末機では、第１嵌合部１１と第２嵌合部１２との嵌合によって上部ケース１と中ケース３とを結合すると共に、第３嵌合部１３と第４嵌合部１４との嵌合によって中ケース３と下部ケース２とを結合するので、上部ケース１と下部ケース２とを中ケース３によって相互に結合することができ、これにより機器全体の剛性を高めることができる。このため、外部から衝撃を受けても、上部ケース１と下部ケース２と中ケース３との全体で衝撃を一体的に受け止めることができるので、各ケース１〜３のねじれ変形や反り変形、および位置ずれを確実に且つ良好に防ぐことができ、これにより耐衝撃性の高いものを提供することができる。
【００５８】
この場合、第１嵌合部１１と第２嵌合部１２とは、互いに嵌合した際に、上部ケース１と中ケース３とにおける内外方向の位置を規制する第１規制部１５と、上部ケース１と中ケース３との周囲方向の位置を規制する第２規制部１６とを備えていることにより、第１嵌合部１１と第２嵌合部１２とが嵌合した状態で、落下などの衝撃を受けた際に、第１規制部１５によって上部ケース１と中ケース３とがその内外方向に変形するのを確実に防ぐことができると共に、第２規制部１６によって上部ケース１と中ケース３とがその周囲方向に位置ずれするのを確実に防ぐことができ、これにより上部ケース１と中ケース３とのねじれ変形や反り変形、および位置ずれを確実に且つ良好に防ぐことができる。
【００５９】
また、第３嵌合部１３と第４嵌合部１４とは、互いに嵌合した際に、中ケース３と下部ケース２とにおける内外方向の位置を規制する第３規制部１７と、中ケース３と下部ケース２との周囲方向の位置を規制する第４規制部１８とを備えていることにより、第３嵌合部１３と第４嵌合部１４とが嵌合した状態で、落下などの衝撃を受けた際に、第３規制部１７によって中ケース３と下部ケース２とがその内外方向に変形するのを確実に防ぐことができると共に、第４規制部１８によって中ケース３と下部ケース２とがその周囲方向に位置ずれするのを確実に防ぐことができ、これにより中ケース３と下部ケース２とのねじれ変形や反り変形、および位置ずれを確実に且つ良好に防ぐことができる。
【００６０】
この場合、上部ケース１、下部ケース２、および中ケース３は、その複数個所がビス止めによって相互に結合されていることにより、落下などの衝撃を受けた際に、第１規制部１５と第３規制部１７とによって上部ケース１、中ケース３、および下部ケース２がその内外方向に変形するのを確実に且つ良好に防ぐことができると共に、第２規制部１６と第４規制部１８とによって上部ケース１、中ケース３、および下部ケース２がその周囲方向に位置ずれするのを確実に且つ良好に防ぐことができるほか、機器全体の反り変形をも確実に且つ良好に防ぐことができる。
【００６１】
また、中ケース３の第２嵌合部１２には、第１補助嵌合部である補助リブ１２ｂが設けられており、下部ケース２の第４嵌合部１４には、第２嵌合部１２の補助リブ１２ｂに嵌合する第２補助嵌合部である補助突起１４ｃが設けられていることにより、上部ケース１、中ケース３、および下部ケース２を一体的に結合することができるので、上部ケース１、中ケース３、および下部ケース２の全体におけるねじれ変形や反り変形、および位置ずれを確実に且つ良好に防ぐことができる。
【００６２】
すなわち、上部ケース１の第１嵌合部１１における幅広の溝部１１ｂに中ケース３の第２嵌合部１２における第２規制部１６の補助リブ１２ｂが嵌合した状態で、下部ケース２の第４嵌合部１４における第３規制部１７の溝部１４ａの上端部に設けられた補助突起１４ｃが、中ケース３の第２規制部１６の補助リブ１２ｂにおける一対の側板部１２ｄの間に挿入するので、上部ケース１、中ケース３、および下部ケース２を、より一層、確実に且つ強固に一体的に結合することができる。
【００６３】
また、この携帯情報端末機によれば、上部ケース１における第１嵌合部１１の外周に、第５嵌合部２０が上部ケース１の外周に沿って連続して設けられており、下部ケース２における第３嵌合部１３の外周に、第５嵌合部２０が嵌合する第６嵌合部２１が、下部ケース２の外周に沿って連続して設けられていることにより、上部ケース１、下部ケース２、および中ケース３が相互に結合された際に、第５嵌合部２０と第６嵌合部２１とを嵌合させることができ、これによっても機器全体の剛性を更に高めることができる。
【００６４】
この場合、第５嵌合部２０と第６嵌合部２１とは、その噛み合いが、第３、第４の各嵌合部１３、１４の深さと同程度に深く形成されており、この第５嵌合部２０と第６嵌合部２１とが噛み合う内部には、防水パッキン２２が配置されていることにより、上部ケース１、下部ケース２、および中ケース３が相互に結合された際に、上部ケース１と下部ケース２とを強固に結合させることができるほか、第５嵌合部２０が防水パッキン２２を第６嵌合部２１内に押し付けることができ、これにより上部ケース１と下部ケース２との防水性を確保することができる。
【００６５】
また、この携帯情報端末機によれば、下部ケース２に電池収納部８が設けられており、中ケース３が電池収納部８に対応する箇所に亘って上部ケース１と下部ケース２との内部のほぼ全域に配置されていることにより、下部ケース２に電池収納部８を設けても、この電池収納部８に対応する箇所の下部ケース２を中ケース３および上部ケース１に強固に接合することができ、これによっても機器全体の剛性を更に高めることができる。
【００６６】
さらに、この携帯情報端末機では、上部ケース１における表示部５の両側に位置する箇所に一対の補助金具２６を設け、この一対の補助金具２６に下部ケース２をビス止めするように構成されているので、表示部５の表示画面を大きく形成しても、この表示部５の両側に位置する箇所の上部ケース１と下部ケース２とを強固に接合することができ、これによっても機器全体の剛性を高めることができる。
【００６７】
なお、上述した実施形態では、携帯情報端末機に適用した場合について述べたが、必ずしも携帯情報端末機である必要はなく、例えば携帯電話機、電子辞書、携帯型の音楽プレーヤなどの各種の携帯型の電子機器に広く適用することができる。
【符号の説明】
【００６８】
１  上部ケース
２  下部ケース
３  中ケース
８  電池収納部
１０  電池蓋
１１〜１４  第１〜第４の各嵌合部
１２ｂ  補助リブ
１４ｃ  補助突起
１５〜１８  第１〜第４の各規制部
２０、２１  第５、第６の各嵌合部
２２  防水パッキン
２３  ビス挿入孔
２４  ボス挿入孔
２５  ボス
【図１】
0005488448.tif 000002
【図２】
0005488448.tif 000003
【図３】
0005488448.tif 000004
【図４】
0005488448.tif 000005
【図５】
0005488448.tif 000006
【図６】
0005488448.tif 000007
【図７】
0005488448.tif 000008
【図８】
0005488448.tif 000009